(57)【要約】【課題】  本発明は既設の和式又は洋式水洗便器において、便器の溜水上方で排便に支障がなく尿瓶やオストメイトのパウチを簡便に洗浄し得る装着容易で簡潔な洗浄装置を得ることを目的とする。【解決手段】  便器１の側方に水道管２の手動開閉栓３を配設し、該栓３の下向排出口３’に、横向管４の上向基端部４’を連通枢支し、上記横向管４の先端筒口４ｂを上記側方から上記便器１の内部上方に正逆回動自在に支持してなり、上記横向管が可撓管又は金属硬管である人工肛門用パウチ洗浄装置。【選択図】  図１
2005248581.tif 000002
【特許請求の範囲】
【請求項１】
便器の側方に水道管の手動開閉栓を配設し、
該栓の排出口に、横向管の基端部を連通し、
上記横向管の先端筒口を上記側方から上記便器の内部上方に自在に支持してなる人工肛門用パウチ洗浄装置。
【請求項２】
上記便器が洋式又は和式水洗トイレであり、
上記横向管の本体が可撓管である請求項１記載の人工肛門用パウチ洗浄装置。
【請求項３】
上記横向管の本体が金属硬管であって先端筒口が下向である請求項１記載の人工肛門用パウチ洗浄装置。
【請求項４】
上記栓を上記便器の床面又は側壁面に支持具で支持した請求項１〜３のいずれかに記載の人工肛門用パウチ洗浄装置。
【請求項５】
上記水道管と上記開閉栓とを柔軟連管で接続した請求項１〜４のずれかに記載の人工肛門用パウチ洗浄装置。
【発明の詳細な説明】
【技術分野】
【０００１】
本発明は人工肛門用パウチの簡易洗浄装置に関するものである。
【背景技術】
【０００２】
従来、尿瓶やオストメイト（人工肛門保有者）のパウチの洗浄を行うために洗浄水を吐出する吐出管の吐出口を水洗便器の溜水部上方に着脱自在に設け、フラッシュバルブ水道水とは別系統の水道水を弁・ホースを介して上記吐出管に接続し、吐出管を使用しない場合は上記弁・ホースから吐出管を取外し収納ボックスに収納するものであった（例えば特許文献１）。
【０００３】
そのためフラッシュ用水道管から直接洗浄水を導水することが困難であり、かつ不使用時には吐出管を取外して収納ボックスに収容しなければならないという不便があった。
【０００４】
又、肛門洗浄装置付水洗便器（ウォシュレット…登録商標）の洗浄ノズルをノズル軸方向及び下向に噴出させるよう形成して便器内部で尿瓶やパウチを洗浄する装置が開発された（例えば特許文献２）。
【０００５】
しかし上記洗浄ノズルは便器本体の内部に設けられ狭い空間に人の手や尿瓶やパウチを挿入洗浄する必要があり、特に手を便器内に挿入するため不潔感があった。
【０００６】
そして便座に人が座らない状態で上記洗浄ノズルから水を噴出させる必要があるため洗浄水の方向や噴出時期を制御する装置及び該ノズルの軸方向及び下向方向に水を噴出させる装置及びその制御装置を必要とした。
【０００７】
【特許文献１】特開平８−２３２３２１号公報
【特許文献２】特開２００４−３３０２号公報
【発明の開示】
【発明が解決しようとする課題】
【０００８】
本発明は既設の和式又は洋式水洗便器において、便器の溜水上方で尿瓶やオストメイトのパウチを簡便に洗浄し得るもので、排便時には便器外に回動させ、かつ装着容易で簡潔な洗浄装置を得ることを目的とする。
【課題を解決するための手段】
【０００９】
上記の目的を達成するため本発明は
第１に便器の側方に水道管の手動開閉栓を配設し、該栓の排出口に、横向管の基端部を連通し、上記横向管の先端筒口を上記側方から上記便器の内部上方に自在に支持してなる人工肛門用パウチ洗浄装置、
第２に上記便器が洋式又は和式水洗トイレであり、上記横向管の本体が可撓管である上記第１発明記載の人工肛門用パウチ洗浄装置、
第３に上記横向管の本体が金属硬管であって先端筒口が下向である上記第１発明記載の人工肛門用パウチ洗浄装置、
第４に上記栓を上記便器の床面又は側壁面に支持具で支持した上記第１〜第３発明のいずれかに記載の人工肛門用パウチ洗浄装置、
第５に上記水道管と上記開閉栓とを柔軟連管で接続した上記第１〜第４発明のずれかに記載の人工肛門用パウチ洗浄装置、
によって構成される。
【００１０】
従って横向管をその基端部を中心に便器の側方から便器の内部上方に回動し、
開閉栓のハンドルを手で捻って開くと、該栓の排出口から上記横向管を経て先端筒口から便器内に水を排出することができる。
【００１１】
その状態において、便器と横向管の先端筒口との間で尿瓶又は人工肛門用パウチ内に排出水を流し込み、内部の汚水又は汚物を便器内に流し出して洗浄することができる。
【００１２】
洗浄終了後は上記栓のハンドルを逆転して水を止め、上記横向管を上記栓の排出口から便器の側方に回動又は弯曲させて作業を終了する。
【００１３】
上記横向管の本体が可撓管である場合はその先端筒口を手前又は下向に適宜弯曲させて尿瓶又はパウチ内を充分洗浄することができる。
【００１４】
さらに水道管と上記開閉栓とはその間の障害物を迂回して柔軟連管で接続することができる。
【００１５】
又上記栓は便器の床面又は側壁面に固定状態に保持することができる。
【発明の効果】
【００１６】
本発明は上述のように構成したので尿瓶やオストメイトのパウチ（袋）の内部の尿や汚物を先ず便器内に排出し、
引続いて手動開閉栓を手で開いて便器の上方に回動させてある上記筒口から水を流して尿瓶や上記パウチの内部の残留汚物を洗浄し、これを便器内に排出することができ、迅速、簡便かつ清潔に洗浄することができるばかりでなく、
既設の水洗便器の側部に簡便に設置し得る効果がある。
【発明を実施するための最良の形態】
【００１７】
家庭又は公衆便所５の床面５’に水洗便器１が設けられている。
【００１８】
上記水洗便器１は和式又は洋式であってフラッシュ水（流水）用水道管に接続され、
手動ハンドルによる開閉弁を開いて便器１内の糞尿を水で流し出すようになっている。
【００１９】
又便器１の後方に設けた低タンク８（ロータンク）内に水道管２（図１〜図３）から小径連管２’によって水を満水し（ブイによる自動開閉弁で満水状態を保つ）、
低タンク８から手動開閉弁を開いて便器１内にフラッシュ水を流し糞尿を流し出すようになっている。
【００２０】
上記既設の便器１の側方側壁６に手動ハンドル３”を備えた手動開閉栓３を取付用支持具７及びボルト７’，７’によって排出口３’を下向（図１（イ）（ロ）図）又は横向（図１（ニ）（ホ）図）に止着する。
【００２１】
上記排出口３’の高さは図３（イ）（ロ）図に示すように便器１の上縁又は便座１’の上方水準であって、
上記下向排出口３’には、上下方向（垂直）中心線ｃの回りに１８０度遊動又は回動可能な横向管４（水平方向）の上向基端部４’を連通枢支する。
【００２２】
又上記横向管４の先端筒口（ノズル）４ｂを便器１の側方から該便器１の内部上方に正逆回動又は正逆遊動自在に支持する（図１（ハ）図、図３（イ）（ロ）図）。
【００２３】
上記横向管４の本体は可撓管４”であって上下左右に弯曲させ、その弯曲状態を保持することが可能な螺旋状金属管である（図１（ハ）（ニ）（ホ）図）。
【００２４】
又上記横向管４の本体を金属硬管４ａとし先端筒口４ｂを下向とする（図２（イ）（ロ）図、図３（イ）（ロ）図）。
【００２５】
上記手動開閉栓３の入側は便所５の正面壁６’に露出した水道管２の出側に柔軟連管９によって連通接続され（図１）、
又は屈曲連管９’によって連通接続される（図２、図３）。
【００２６】
柔軟連管９は合成樹脂柔軟チューブ（ＰＶＣ）の外周をステンレス鋼線網で被覆した自由で撓むフレキシブルチューブである。
【００２７】
さらに上記手動開閉栓３は図３（イ）（ロ）図に示すように床面５’に支柱１０によって支持することができる。
【００２８】
尚図２、図３中２”で示すものはウォシュレット（登録商標）用配管、４ｃは先端筒口４ｂに設けた気泡取入口、４ｄは気泡水、図４（イ）図中１１は上記パウチ１２の接続口、図４（ロ）図及び図５中１３は人工肛門外周接着板、１４は排泄物出口、１５は上記パウチ１２の接続口１１との着脱自在連結環、図６中１６は上記接続口１１と連結環１５との接続状態図、１７は腹部である。
【図面の簡単な説明】
【００２９】
【図１】（イ）図は本発明の人工肛門用パウチ洗浄装置を示す平面図、（ロ）図は（イ）図Ａ−Ａ線による縦断面図、（ハ）図はＢ−Ｂ線による正面図、（ニ）図は可撓管の他の実施例の正面図、（ホ）図は側方に弯曲させた平面図である。
【図２】（イ）図は図１（イ）図の他の実施例の平面図、（ロ）図は上記先端筒口の正面図である。
【図３】（イ）図は図２（イ）図の正面図、（ロ）図は図２（イ）図Ｃ−Ｃ線による正面図である。
【図４】（イ）図は上記パウチの背面図、（ロ）図は人工肛門外周接着板の正面図である。
【図５】人工肛門外周接着板の正面図拡大である。
【図６】パウチと接着板との接続状態の一部拡大縦断面図である。
【符号の説明】
【００３０】
１      便器
２      水道管
３      手動開閉栓
３’    排出口
４      横向管
４’    上向基端部
４”    可撓管
４ａ    金属硬管
４ｂ    先端筒口
５      便所
５’    床面
６      側壁面
７      支持具
９      柔軟連管
【図１】
2005248581.tif 000003
【図２】
2005248581.tif 000004
【図３】
2005248581.tif 000005
【図４】
2005248581.tif 000006
【図５】
2005248581.tif 000007
【図６】
2005248581.tif 000008